(57)【要約】本システムは、上面及び底面を有する表皮層を含み、表皮層の上面に発光手段を有している。グリップはまた、音発生手段、抗菌剤、模様付き表面及び断熱体のうちの少なくとも１つを取り入れるように構成されている。
2005530940.tif 000002
【特許請求の範囲】
【請求項１】
グリップであって：
第１の面と前記第１の面の反対側の第２の面とを有する本体と；
前記本体の前記第１の面に一体化された発光体と；
上面と前記上面の反対側の底面とを有し、前記上面が前記本体の前記第２の面に接着された伸張可能材料と；
前記伸張可能材料の前記底面に配置され、外面に接着するように構成された剥離可能接着剤と；
を含むことを特徴とするグリップ。
【請求項２】
請求項１に記載のグリップにおいて、
前記本体が前記第１の面と前記第２の面との間の距離を有し、前記距離が変化可能とされていることを特徴とするグリップ。
【請求項３】
請求項１に記載のグリップにおいて、
前記本体が、レザー、プラスチックシート、プラスチックロールストック、気泡材料、ポリウレタン、織物、ウレタン、ゴム、及びホイルからなる群から選択される材料を含むことを特徴とするグリップ。
【請求項４】
請求項１に記載のグリップにおいて、
前記伸張可能材料がポリエステルであることを特徴とするグリップ。
【請求項５】
請求項１に記載のグリップにおいて、
前記発光体が発光材料であることを特徴とするグリップ。
【請求項６】
請求項１に記載のグリップにおいて、
前記発光体が、蛍光化学薬品、低グレード光放射材料、電気的に刺激される蛍光材料、及び発光顔料からなる群から選択される材料であることを特徴とするグリップ。
【請求項７】
請求項１に記載のグリップにおいて、
前記発光体が光ファイバー及び柔軟な発光ダイオードからなる群から選択されることを特徴とするグリップ。
【請求項８】
請求項１に記載のグリップにおいて、
前記発光体が低レベル電流によって設けられることを特徴とするグリップ。
【請求項９】
請求項１に記載のグリップにおいて、
前記発光体が発光フィラメントであることを特徴とするグリップ。
【請求項１０】
請求項１に記載のグリップにおいて、
前記表皮と前記四方向伸張可能材料との間に接着されたバック層をさらに含むことを特徴とするグリップ。
【請求項１１】
請求項１に記載のグリップにおいて、
前記グリップが前記外面を実質的に覆うことを特徴とするグリップ。
【請求項１２】
グリップであって：
第１の面と前記第１の面の反対側の第２の面とを有する本体と；
前記本体の前記第１の面に一体化された模様付き材料と；
上面と前記上面の反対側の底面とを有し、前記上面が前記本体の前記第２の面に接着された伸張可能材料と；
前記伸張可能材料の前記底面に配置され、外面に接着するように構成された剥離可能接着剤と；
を含むことを特徴とするグリップ。
【請求項１３】
請求項１２に記載のグリップにおいて、
前記本体が前記第１の面と前記第２の面との間の距離を有し、前記距離が変化可能とされていることを特徴とするグリップ。
【請求項１４】
請求項１２に記載のグリップにおいて、
前記本体が、レザー、プラスチックシート、プラスチックロールストック、気泡材料、ポリウレタン、織物、ウレタン、ゴム、及びホイルからなる群から選択される材料を含むことを特徴とするグリップ。
【請求項１５】
請求項１２に記載のグリップにおいて、
前記伸張可能材料がポリエステルであることを特徴とするグリップ。
【請求項１６】
請求項１２に記載のグリップにおいて、
前記模様付き材料が、硬質ゴム、軟質ゴム、プラスチック、布、及び材料からなる群から選択される材料であることを特徴とするグリップ。
【請求項１７】
請求項１２に記載のグリップにおいて、
前記模様付き材料が断熱体として作用するように構成されていることを特徴とするグリップ。
【請求項１８】
請求項１２に記載のグリップにおいて、
前記模様付き材料が燃焼遅延剤を含むことを特徴とするグリップ。
【請求項１９】
請求項１２に記載のグリップにおいて、
前記模様付き材料が点字言語シンボルに形成されていることを特徴とするグリップ。
【請求項２０】
請求項１２に記載のグリップにおいて、
前記表皮と前記四方向伸張可能材料との間に接着されたバック層をさらに含むことを特徴とするグリップ。
【請求項２１】
請求項１２に記載のグリップにおいて、
前記グリップが前記外面を実質的に覆うことを特徴とするグリップ。
【請求項２２】
グリップであって：
第１の面と前記第１の面の反対側の第２の面とを有する本体と；
前記本体の前記第１の面に一体化された音発生体と；
上面と前記上面の反対側の底面とを有し、前記上面が前記本体の前記第２の面に接着された伸張可能材料と；
前記伸張可能材料の前記底面に配置され、外面に接着するように構成された剥離可能接着剤と；
を含むことを特徴とするグリップ。
【請求項２３】
請求項２２に記載のグリップにおいて、
前記本体が前記第１の面と前記第２の面との間の距離を有し、前記距離が変化可能とされていることを特徴とするグリップ。
【請求項２４】
請求項２２に記載のグリップにおいて、
前記本体が、レザー、プラスチックシート、プラスチックロールストック、気泡材料、ポリウレタン、織物、ウレタン、ゴム、及びホイルからなる群から選択される材料を含むことを特徴とするグリップ。
【請求項２５】
請求項２２に記載のグリップにおいて、
前記伸張可能材料がポリエステルであることを特徴とするグリップ。
【請求項２６】
請求項２２に記載のグリップにおいて、
前記音発生体が感圧式であることを特徴とするグリップ。
【請求項２７】
請求項２２に記載のグリップにおいて、
前記音発生体が光のない場合に作動することを特徴とするグリップ。
【請求項２８】
請求項２２に記載のグリップにおいて、
前記音発生体が独立して駆動されることを特徴とするグリップ。
【請求項２９】
請求項２２に記載のグリップにおいて、
前記表皮と前記四方向伸張可能材料との間に接着されたバック層をさらに含むことを特徴とするグリップ。
【請求項３０】
請求項２２に記載のグリップにおいて、
前記グリップが前記外面を実質的に覆うことを特徴とするグリップ。
【発明の詳細な説明】
【技術分野】
【０００１】
本発明は、手摺あるいは他のハンドサポートシステムのためのグリップに関するものである。より詳しくは、本発明は、手摺あるいは他のハンドサポートシステムに剥離可能に接着されるグリップに関するものである。
【背景技術】
【０００２】
手摺は、立つ、座る、階段の上り下り、移動する乗物への出入り、歩くなどの人間の活動を援助するために世界中で使用されている。様々なハンドヘルド装置を操作したり使用したりするとき、あるいは、より重要なことには単に安全性の目的のために任意の種類の手摺をつかむとき、安定した快適なグリップを維持することは非常に重要である。立ったり、座ったり、乗物へ出入りするユーザーのハンドサポートのために、むき出しの手摺が使用されている。むき出しの手摺は、それらがいかなる種類の金属、プラスチック、木、ガラス、コンクリートあるいは複合材料から構成されているかどうかに関係なく、滑りやすかったり、粗いことがあり、素手でつかむのに不便である。さらに、地下鉄車両、軽軌条輸送車両、輸送バス、機関車、路面電車、トロリー車両、レクリエーション車両などの移動する乗物内に設けられた覆われていない手摺は、乗物が移動しているとき、とくに旋回しているときに、安全ではない。一般に、そのような手摺は、円形チューブあるいは人間の手でつかむための他の類似形状のような押出形状とされている。加えて、これらの手摺は、通常、ステンレススチールなどの耐久性金属から構成されているが、木あるいは様々な他の物質から構成されていてもよい。
【０００３】
しかしながら、そのような一般的な手摺は、該手摺に関連した対応する人間の活動をさらに援助するような積極的なつかみ面を提供しない。現在のつかみ装置のいくつかは、オーロラによる特許文献１のように、取り付けられて使用され、人間の手にフィットするように構成された断面部分を有する型成形されたプラスチック円筒グリップと、シュミットらによる特許文献２のように、指サイズの複数のくぼみを有する剛体の手摺と、バルダッサッレによる特許文献３のように、屋外デッキのためのシステムを覆う手摺とを含んでいる。さらに他のつかみ装置は、ロゼニックによる特許文献４のように、ユーザーがバーの使用を望むごとにバーのまわりを包む取り外し可能な気泡グリップを含んでいる。この種類のグリップは、一般に重量挙げ装置のために使用される。現在までのグリップは、作り付けのグリップを有する手摺か、あるいは、ほとんどの場合、手摺に永久に取り付けられるグリップを有する手摺に関連するものであり、その一方で、他のグリップは、それらが簡単に取り外されてバーからバーへ移動させられるというよりはむしろ、まったく取り付けられないものであった。
【特許文献１】米国特許第５，５８４，０９６号明細書
【特許文献２】米国特許第５，１９０，２６７号明細書
【特許文献３】米国特許第６，０６２，５１９号明細書
【特許文献４】米国特許第５，７７５，７５６号明細書
【発明の開示】
【発明が解決しようとする課題】
【０００４】
現在まで、任意の手摺面あるいは手摺形状に適合し、かつ、そのような手摺面に剥離可能に取り付け可能なグリップは設計されていなかった。したがって、任意の種類の手摺に適合し、かつ、表面の種類やグリップとして使用される材料の種類に関係なく任意の手摺面に取り付けられるグリップと、手摺に剥離可能に取り付け可能なグリップとが必要とされている。
【０００５】
さらに現在まで、最も危険な状況においてさえ安全性を獲得するためにユーザーがグリップを使用することを可能にする、該グリップに取り入れられる安全機能を有するグリップは設計されていなかった。したがって、つかみのためのさらなる摩擦を生じさせる模様付き表面を有するグリップが必要とされており、それらのうちのいくつかは、視力の低下した人に読み取り可能とされ、ユーザーを安全に案内するように照らし出される表面とされ、ユーザーを安全に案内するようにグリップ内に取り入れられる音発生技術とされ、また、病気の蔓延を防止する抗菌剤とされている。
【課題を解決するための手段】
【０００６】
本発明は、手摺あるいは他のハンドサポートシステムに、安定し、弾力のあるつかみ面を設けるための方法、システム及び装置である。本発明のグリップは、手でつかまれる任意の手摺あるいはハンドサポートシステムの表面に、安定し、弾力のあるつかみ面を設けるように構成されている。前記グリップは、好ましくは、手摺あるいは他のハンドサポートシステムに利用される。しかしながら、前記グリップがサポート柱及びビームなどの他の構造に使用されていてもよいことは明白である。
【０００７】
本発明の１つの観点では、手摺あるいはハンドサポートシステムのまわりをグリップで包むことによって手摺あるいはハンドサポートシステムに容易に固定される柔軟なつかみパッドが提供される。前記グリップは、手摺を完全に覆っていてもよいし、巧妙に包んでいてもよいし、部分的あるいは完全に巻き付いていてもよい。この発明のグリップは、手摺やハンドサポートシステムに関連した滑り、手の擦り傷あるいは他の危険を防止して手摺やハンドサポートシステムの安全性を高める快適で弾力のあるつかみ面を提供する。
【０００８】
１つの観点では、本発明のグリップは、上面及び底面を有する表皮層と、上面及び底面を有する四方向伸張可能材料層とを含んでいる。四方向伸張可能材料層の上面は、表皮層の底面に永久に接着される。四方向伸張可能材料層の底面は、手摺あるいはハンドサポートシステムに剥離可能に取り付けられる。
【０００９】
表皮層は、安全で安定したつかみ面を提供する任意の材料から形成されていてもよい。可能な表皮材料のうちのいくつかの例は、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、及びホイル材料を含んでいる。ビニル材料が使用されるならば、該ビニルは支持されていてもよいし、支持されていなくてもよい。同様に、四方向伸張可能材料は、ＭＹＬＡＲ（登録商標）などの四方向に同時に伸張することができる任意の材料を含んでいてもよい。
【００１０】
本発明のさらに他の観点では、本発明のグリップの表皮層は、発光特性を有している。発光表皮層は、非常事態の場合にさらなる安全性を提供するために暗闇で輝く。
【００１１】
他の実施例では、本発明のグリップは、上面及び底面を有する表皮層と、上面及び底面を有するバック層とを含んでいる。バック層の上面は、表皮層の底面に永久に接着される。さらに、バック層は、伸張可能な上面及び伸張可能な底面を有する四方向伸張可能材料層に永久に取り付けられる。四方向伸張可能材料層の底面は、手摺あるいはハンドサポートシステムに剥離可能に取り付けられる。
【００１２】
本発明のグリップは、その長手方向に延びる両側にテーパ状の縁部を有していてもよく、手摺あるいは他のハンドサポートシステムのまわりをグリップで螺旋状に包み、それらの縁部同士が重なったときに、グリップの厚みが一定のままとなる。縁部同士が重なるようにグリップで包むのに代えて、縁部同士が重ならないようにグリップで包み、ユーザーのためのさらなる摩擦を付与するようにしてもよい。
【００１３】
本発明のグリップを製造する１つの方法は、つかみのための上面と永久接着剤が塗布される底面とを有する表皮層を設けることを含んでいる。次に、上面及び底面を有する四方向伸張可能材料が、表皮層の底面に永久に取り付けられる。最後に、四方向伸張可能材料の底面が、手摺に剥離可能に接着される。
【００１４】
本発明のグリップを製造する他の方法は、つかみのための上面と永久接着剤が塗布される底面とを有する表皮層を設けることを含んでいる。次に、上面及び底面を有するバック層が設けられる。バック層の上面が表皮層の底面に接着される。次に、上面及び底面を有する四方向伸張可能材料層が、バック層底面を四方向伸張可能層上面に接着することによって、バック層に永久に取り付けられる。最後に、四方向伸張可能材料が、手摺に剥離可能に接着される。
【００１５】
本発明のシステムは、安定した安全な剥離可能に取り付け可能なグリップを手摺に設けるために構成されている。前記システムは、内面及び外面を有する四方向伸張可能層と、内面及び外面を有する表皮層とを備えたグリップを含み、表皮層の内面が四方向伸張可能層の外面に接着されている。四方向伸張可能層の内面は、手摺に剥離可能に接着される。
【００１６】
本発明の他のシステムはまた、安定した安全な剥離可能に取り付け可能なグリップを手摺に設けるために構成されている。前記システムは、内面及び外面を有するバック層と、内面及び外面を有する表皮層とを備えたグリップを含み、表皮層の内面がバック層の外面に接着されている。バック層の底面は、内面及び外面を有する四方向伸張可能層に永久に接着される。四方向伸張可能層の内面は、手摺に剥離可能に接着される。
【００１７】
上述したように、本発明のグリップは、その長手方向に延びる両側にテーパ状の縁部を有していてもよく、手摺あるいは他のハンドサポートシステムのまわりをグリップで包み、それらの縁部同士が重なったときに、グリップの厚みが一定のままとなる。縁部同士が重なるようにグリップで包むのに代えて、縁部同士が重ならないようにグリップで包み、ユーザーのためのさらなる摩擦を付与するようにしてもよい。
【００１８】
本発明のグリップを手摺に設ける１つの方法は、手摺を設けることと、該手摺のまわりを本発明のテーパ状縁部を有するグリップで螺旋状に包み、グリップのテーパ状縁部が重なるようにすることを含んでいる。グリップの厚みが一定のままとなるように、手摺の長手部がグリップによって完全に覆われていてもよいし、あるいはこれに代えて、ユーザーのためのさらなる摩擦を付与するために縁部同士が重ならないようにしてもよい。
【００１９】
本発明のグリップを手摺に設ける他の方法は、長手部とその長手部に沿った平行線上に位置する調整目標とを有する手摺を設けることを含んでいる。次に、グリップの中心の長手軸線が手摺の長手部に平行な軸線の中心に位置するように、グリップを配置する。本発明のグリップは、グリップにおける長手方向に延びる縁部に平行な軸線に沿って配置される調整目標を有しており、グリップの調整目標が手摺の調整目標に位置合わせされ、かつ、手摺のまわりに巻き付いたときにグリップの両縁部が当接するように、該グリップが手摺のまわりに巻き付けられる。
【００２０】
この発明のグリップは、グリップとして任意の種類の材料を使用した任意の種類の手摺のための積極的なつかみ面を提供し、かつ、手摺の表面の長手部のための安全で均一なつかみ面を提供する。さらに、手摺あるいはハンドサポートシステムに剥離可能に接着されるグリップを提供するために、グリップ及びシステムのための製造方法が必要とされている。最後に、手摺あるいは他のハンドサポートシステムに本発明のグリップを設ける方法が必要とされている。
【発明を実施するための最良の形態】
【００２１】
図１は、手摺あるいはハンドサポートシステムに使用するためのグリップ１００を示している。グリップ１００は、表皮層１０４と四方向伸張可能層１１２とを有している。表皮層１０４は、快適で安定し、かつ安全なつかみ面を提供する上面１０２を有している。表皮層１０４は、様々な材料から形成されることができる。そのような材料の例は、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、ホイル材料、あるいはハンドサポートシステムの覆いとして作用することができる任意の他の材料を含んでいる。表皮層１０４が発泡ビニルから形成されるならば、該ビニル面は、滑らかであってもよいし、模様付きであってもよい。加えて、ビニル材料が使用されるならば、該ビニルは支持されていてもよいし、支持されていなくてもよい。本発明のさらに他の観点では、本発明のグリップ１００の表皮層１０４が発光特性を有している。発光表皮層は、非常事態の場合にさらなる安全性を提供するために暗闇で輝く。発光を生じさせるために周知の方法が使用されていてもよく、例えば、該方法のいくつかは、移動塗布プロセス（transfer application processes）、湿式インクプロセス（wet ink processes）、及び昇華インクプロセス（sublimation ink processes）を含んでいる。本発明のさらに他の実施例では、表皮層１０４は、グリップの表皮層に添加された、ベンゾチアゾリン（Benzothiazoline、ＢＩＴ）、オクチルイソチアゾリン（Octylisothiazoline、ＯＩＴ）、チアベンデズ（Thiabendez、ＴＢＺ）あるいはジンクピリチオンオキシド（zinc pyrithionoxide、ＺＰＴ）などの抗菌剤を有している。抗菌剤は、グリップが使用される箇所に応じて異なるように集中して添加されていてもよい。
【００２２】
表皮層１０４は、四方向伸張可能材料層１１２の上面１１０に永久接着剤１０８によって付着された底面１０６を有しており、該永久接着剤１０８は、表皮層１０４を縁部から縁部まで完全に覆っている。永久接着剤１０８は、四方向伸張可能材料層１１２に表皮層１０４を永久に接着する周知の任意の永久接着剤とされていることができる。そのような永久接着剤の例は、Ｆｌｅｘｉｃｏｎ（登録商標）接着剤Ｖ−４０２である。しかしながら、他の類似した適当な接着剤が使用されていてもよいことは、当業者にとって明白である。
【００２３】
四方向伸張可能層１１２は、上面１１０及び底面１１４を有しており、四方向伸張可能層１１２の上面１１０が表皮層１０４の底面１０６に適合するとともに永久に付着されている。四方向伸張可能層１１２は、ＭＹＬＡＲ（登録商標）などの四方向に同時に伸張することができる任意の材料からなっていてもよい。四方向伸張可能層１１２の底面１１４は、剥離可能接着剤１１６の層によって、手摺あるいはハンドサポートシステムに剥離可能に取り付けられる。剥離可能接着剤１１６は、四方向伸張可能層１１２を縁部から縁部まで完全に覆って、該四方向伸張可能層１１２に付着され、手摺あるいはハンドサポートシステムに対する剥離可能な接着力を提供する。剥離可能接着剤１１６は、手摺あるいはハンドサポートシステムへの安定した接着力を提供するが、該剥離可能接着剤１１６は、グリップ１００を手摺あるいはハンドサポートシステムから剥がすことによって最小限の労力で取り外されるようにしてもよい。剥離可能接着剤の例は、Ｆｌｅｘｉｃｏｎ（登録商標）Ｖ−５８である。
【００２４】
図３に示されるグリップ１００の１つの実施例において、表皮層１０４及び四方向伸張可能層１１２の長手方向に延びる縁部は、厚みがテーパ状とされていてもよい。図２は、グリップ１００の上面図を示している。図３は、図２のＡ−Ａ線断面によるグリップ１００の断面図を示している。表皮層１０４及び四方向伸張可能層１１２の縁部をテーパ状にすることは、手摺あるいはハンドサポートシステムを包むときに縁部同士が重なり合うことを許容するのと同時に、縁部同士の重なりにもかかわらずグリップ１００の一定の厚みを維持することを許容する。他の実施例では、縁部がテーパ状とされているが、ユーザーにさらなる摩擦を付与するためにそれらが重ならないように包んでいる。さらに他の実施例では、表皮層１０４及び四方向伸張可能層１１２の長手方向の縁部は、これら縁部が重ならない場合の事例のために、テーパ状とされていない。
【００２５】
図４は、本発明の他の実施例を示している。グリップ２００は、表皮層２０４とバック層２１２と四方向伸張可能層２２０とを有している。表皮層２０４は、快適で安定し、安全なつかみ面を提供する上面２０２を有している。表皮層２０４は、様々な材料から形成されることができる。そのような材料の例は、限定されないが、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、ホイル材料、あるいはハンドサポートシステムの覆いとして作用することができる任意の他の材料を含んでいる。表皮層２０４が発泡ビニルから形成されるならば、該ビニル面は、滑らかであってもよいし、模様付きであってもよい。加えて、ビニル材料が使用されるならば、該ビニルは支持されていてもよいし、支持されていなくてもよい。本発明のさらに他の観点において、本発明のグリップ２００の表皮層２０４が発光特性を有している。発光表皮層は、非常事態の場合にさらなる安全性を提供するために暗闇で輝く。発光を生じさせるために周知の方法が使用されていてもよく、例えば、該方法のいくつかは、移動塗布プロセス（transfer application processes）、湿式インクプロセス（wet ink processes）、及び昇華インクプロセス（sublimation ink processes）を含んでいる。本発明のさらに他の実施例では、表皮層２０４は、グリップの表皮層に添加された、ベンゾチアゾリン（Benzothiazoline、ＢＩＴ）、オクチルイソチアゾリン（Octylisothiazoline、ＯＩＴ）、チアベンデズ（Thiabendez、ＴＢＺ）あるいはジンクピリチオンオキシド（zinc pyrithionoxide、ＺＰＴ）などの抗菌剤を有している。抗菌剤は、グリップが使用される箇所に応じて異なるように集中して添加されていてもよい。
【００２６】
表皮層２０４は、バック層２１２の上面２１０に永久接着剤２０８によって付着される底面２０６を有しており、該永久接着剤２０８は、バック層２１２の底面２１４を縁部から縁部まで完全に覆っている。永久接着剤２０８は、バック層２１２に表皮層２０４を永久に接着する周知の任意の永久接着剤とされることができる。そのような永久接着剤の例は、Ｆｌｅｘｉｃｏｎ（登録商標）接着剤Ｖ−４０２である。しかしながら、他の類似した適当な接着剤が使用されていてもよいことは、当業者にとって明白である。
【００２７】
バック層２１２は、上面２１０及び底面２１４を有しており、バック層２１２の上面２１０が表皮層２０４の底面２０６に適合するとともに付着されている。バック層２１２は、連続気泡、独立気泡、フェルト、紙あるいはゴムを含む支持を提供するのに適した任意の材料からなっていてもよい。バック層２１２の底面２１４は、四方向伸張可能材料２２０の上面２１８に永久に接着されている。四方向伸張可能材料２２０の上面２１８にバック層２１２の底面２１４を取り付ける永久接着剤は、例えばＦｌｅｘｉｃｏｎ（登録商標）Ｖ−４０２などの表面を永久に接着する周知の任意の永久接着剤とされることができる。四方向伸張可能材料２２０は、全方向に同時に伸張する能力を有している。四方向伸張可能材料の例は、ＭＹＬＡＲ（登録商標）である。四方向伸張可能層２２０の底面２２２は、剥離可能接着剤２２４によって手摺あるいはハンドサポートシステムに剥離可能に取り付けられる。剥離可能接着剤２２４は、四方向伸張可能材料に付着されて、該四方向伸張可能材料２２０を縁部から縁部まで完全に覆い、手摺あるいはハンドサポートシステムへの剥離可能な接着力を提供する。剥離可能接着剤２２４は、手摺あるいはハンドサポートシステムへの安定した接着力を提供するが、該剥離可能接着剤２２４は、グリップ２００を手摺あるいはハンドサポートシステムから剥がすことによって最小限の労力で取り外されるようにしてもよい。剥離可能接着剤の例は、Ｆｌｅｘｉｃｏｎ（登録商標）Ｖ−５８である。
【００２８】
図４に示されるグリップ２００の１つの実施例において、表皮層２０４、バック層２１２及び四方向伸張可能層２２０の長手方向に延びる縁部は、厚みがテーパ状とされていてもよい。図５は、グリップ２００の上面図を示している。図６は、図５のＡ−Ａ線断面によるグリップ２００の断面図を示している。表皮層２０４、バック層２１２及び四方向伸張可能層２２０の縁部をテーパ状にすることは、手摺あるいはハンドサポートシステムを包むときに縁部同士が重なり合うことを許容するのと同時に、縁部同士の重なりにもかかわらずグリップ２００の一定の厚みを維持することを許容する。他の実施例では、縁部がテーパ状とされているが、ユーザーにさらなる摩擦を付与するためにそれらが重ならないように包んでいる。さらに他の実施例では、表皮層２０４、バック層２１２及び四方向伸張可能層２２０の長手方向の縁部は、これら縁部が重ならない場合の事例のために、テーパ状とされていないが、グリップの一定の厚みが望まれている。
【００２９】
図７Ａ〜７Ｃは、グリップ１００を製造するための方法あるいは工程を示している。便宜上、グリップ１００の構成部材は、グリップ１００を示す図１のように番号が付けられている。グリップ１００を製造するための方法あるいは工程は、表皮層１０４を設けるとともに永久接着剤１０８を表皮層１０４に塗布する行為７Ａで始まっている。表皮層１０４は、様々な材料から形成されることができる。そのような材料の例は、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、ホイル材料、あるいはハンドサポートシステムの覆いとして作用することができる任意の他の材料を含んでいる。表皮層１０４が発泡ビニルから形成されるならば、該ビニル面は、滑らかであってもよいし、粗くてもよい。加えて、ビニル材料が使用されるならば、該ビニルは支持されていてもよいし、支持されていなくてもよい。次に、図７Ｂに示されるように、四方向伸張可能材料層１１２が表皮層１０４に永久に接着される。上述したように、四方向伸張可能層１１２は、ＭＹＬＡＲ（登録商標）などの四方向に同時に伸張することができる任意の材料からなっていてもよい。それから、剥離可能接着剤１１６が、四方向伸張可能材料層１１２に縁部から縁部まで塗布される。
【００３０】
図３に示されるグリップ１００の製造方法の１つの実施例では、表皮層１０４及び四方向伸張可能層１１２の長手方向に延びる縁部は、厚みがテーパ状とされていてもよい。図２は、グリップ１００の上面図を示している。図３は、図２のＡ−Ａ線断面によるグリップ１００の断面図を示している。表皮層１０４及び四方向伸張可能層１１２の縁部をテーパ状にすることは、手摺あるいはハンドサポートシステムを包むときに縁部同士が重なり合うことを許容するのと同時に、縁部同士の重なりにもかかわらずグリップ１００の一定の厚みを維持することを許容する。他の実施例では、縁部がテーパ状とされているが、ユーザーにさらなる摩擦を付与するためにそれらが重ならないように包んでいる。さらに他の実施例では、表皮層１０４及び四方向伸張可能層１１２の長手方向の縁部は、これら縁部が重ならない場合の事例のために、テーパ状とされていない。
【００３１】
図８Ａ〜８Ｅは、グリップ２００を製造するための方法あるいは工程を示している。便宜上、グリップ２００の構成部材は、グリップ２００を示す図４のように番号が付けられている。グリップ２００を製造するための方法あるいは工程は、表皮層２０４を設けるとともに永久接着剤２０８を表皮層２０４の縁部から縁部までに塗布する行為８Ａで始まっている。表皮層２０４は、様々な材料から形成されることができる。そのような材料の例は、限定されないが、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、ホイル材料、あるいはハンドサポートシステムの覆いとして作用することができる任意の他の材料を含んでいる。表皮層２０４が発泡ビニルから形成されるならば、該ビニル面は、滑らかであってもよいし、粗くてもよい。加えて、ビニル材料が使用されるならば、該ビニルは支持されていてもよいし、支持されていなくてもよい。次に、図８Ｂに示されるように、バック層２１２が表皮層２０４に永久に接着される。上述したように、バック層２１２は、連続気泡、独立気泡、フェルト、紙あるいはゴムを含む支持を提供するのに適した任意の材料からなっていてもよい。次に、図８Ｃに示されるように、永久接着剤２１６がバック層２１２に塗布される。それから、図８Ｄに示されるように、四方向伸張可能層２２０がバック層２１２に接着される。最後に、図８Ｅに示されるように、剥離可能接着剤２２４が、四方向伸張可能層２２０に縁部から縁部まで塗布される。
【００３２】
図４に示されるグリップ２００の製造方法の１つの実施例では、表皮層２０４、バック層２１２及び四方向伸張可能層２２０の長手方向に延びる縁部は、厚みがテーパ状とされていてもよい。図５は、グリップ２００の上面図を示している。図６は、図５のＡ−Ａ線断面によるグリップ２００の断面図を示している。表皮層２０４、バック層２１２及び四方向伸張可能層２２０の縁部をテーパ状にすることは、手摺あるいはハンドサポートシステムをグリップ２００で包むときに縁部同士が重なり合うことを許容するのと同時に、縁部同士の重なりにもかかわらずグリップ２００の一定の厚みを維持することを許容する。他の実施例では、縁部がテーパ状とされているが、ユーザーにさらなる摩擦を付与するためにそれらが重ならないように包んでいる。さらに他の実施例では、表皮層２０４、バック層２１２及び四方向伸張可能層２２０の長手方向の縁部は、これら縁部が重ならない場合の事例のために、テーパ状とされていない。
【００３３】
図９は、安定した安全な剥離可能に取り付け可能なグリップを手摺に設けたシステムを示している。本発明のシステムは、任意の種類の手摺あるいはハンドサポートシステム３０２に利用されることができる。本発明のグリップ３００は、内面及び外面を有する四方向伸張可能材料層３０４と、内層及び外層を有する表皮層３０６とを備え、表皮層３０６の内層が前記四方向伸張可能材料層３０４の前記外面に永久に接着されている。四方向伸張可能材料層３０４は、手摺３０２に剥離可能に接着されている。
【００３４】
図１０は、安定した安全な剥離可能に取り付け可能なグリップを手摺に設けたシステムを示している。本発明のシステムは、任意の種類の手摺あるいはハンドサポートシステム４０２に利用されることができる。本発明のグリップ４００は、内面及び外面を有する四方向伸張可能層４０４と、内面及び外面を有するバック層４０６と、内面及び外面を有する表皮層４０８とを備え、表皮層４０８の内面が前記バック層４０６の前記外面に永久に接着されている。バック層４０６の内面は、四方向伸張可能層４０４に永久に接着されている。四方向伸張可能層４０４は、手摺４０２に剥離可能に接着されている。
【００３５】
図１１は、本発明のグリップで手摺を包む方法を示している。１つの実施例では、グリップ５００は、グリップ５００の長手方向に延びる縁部５０８に平行な軸線５１０に沿った調整目標５０６を有している。次に、調整目標５０４が手摺５０２に配置される。次に、グリップの中心の長手軸線が手摺５０２の長手部に平行な軸線の中心に位置するように、グリップ５００が手摺に配置される。次に、グリップ５００の調整目標５０６が、手摺５０２の調整目標５０４に位置合わせされる。最後に、グリップ５００が手摺５０２の円周と実質的に同程度の幅を有していて、グリップ５００が手摺５０２のまわりに巻き付いたときに、グリップ５００の両縁部５０８が当接するようにする。
【００３６】
他の包む方法では、図１２が、手摺６０２をグリップ６００で螺旋状に包む方法を示している。次に、グリップ６００で包み、グリップ６００のテーパ状の縁部同士が重なるように、グリップ６００のテーパ状の縁部を手摺のまわりに螺旋状に配置する。手摺６０２の長手部がグリップ６００によって完全に覆われ、手摺６０２を完全に覆ってグリップ６００の厚みが一定のままとなるようにしてもよい。他の実施例では、ユーザーにさらなる摩擦を付与するために縁部同士が重ならないように、グリップ６００で手摺のまわりを包んでもよい。
【００３７】
図１３は、グリップ内に発光手段が取り入れられた本発明のグリップを示している。上述のように、発光材料が、グリップ１００及び２００の表面に位置しうる任意のグラフィック材料の機能を高めるために使用されていてもよい。この効果を生じさせるために使用されうる他の材料は、蛍光化学薬品、低グレード光放射材料、電気的に刺激される蛍光材料、光ファイバー、及び発光顔料を含んでいる。これらの化学薬品は、グラフィックを生じさせるために使用されるインク内に含まれていたり、グリップ面７００及び７０２に貼り合わせられたり、付着されたりしていてもよい。加えて、低レベル電流が、光を発するためにグリップ面に通電されていてもよい。バッテリーなどの独立した電力源が、電流源を設けるために使用されていてもよい。光がないか光が少ない状況において電流をオンにするためのソーラースイッチなどの手段が、回路を完成させるために使用される。他の光源が、発光背景材料上にグリップを配置することによって設けられることができる。この場合、柔軟なＬＥＤ材料を使用することができる。ここで挙げられた例は、例示のみであって、限定に使用されるべきではない。
【００３８】
図１４は、模様付き表面を有する本発明のグリップを示している。グリップ８００は、模様付き表面を有している。グリップ８００は、グリップ１００あるいは２００に模様付き表面８０２を加えたものである。模様付き表面８０２は、様々な材料から形成されることができる。例えば、硬質ゴム、軟質クレヨンゴム、任意の種類のプラスチック、布材料、及びこの目的に適した周知の他の任意の材料である。加えて、パターンまたは安全指示が、グリップの表面に型成形されることができる。
【００３９】
模様付きグリップのさらなる特性は、断熱効果である。模様付き表面８０２の厚みは、自然な断熱体として作用する。この特性は、非常に暑いか寒い気象状況においても手摺を使用可能にする。加えて、臭素基遅延剤、リン酸塩基遅延剤あるいはＴＢＢＰＡエポキシなどの燃焼遅延剤が、模様付き表面に添加されることができ、グリップ８００を耐燃焼性にして人間の使用をより安全にする。
【００４０】
図１５は、グリップ内に取り入れられる音発生手段９０２を有する本発明のグリップを示している。音技術の当業者にとって周知のように、前もってプログラムされたマイクロチップに信号を送る感圧式スイッチを使用することにより。音発生手段９０２を作動させることができる。一旦、音発生手段が作動すると、音を発生するスピーカーが作動する。１つの実施例では、各音ユニットは、バッテリーパックによって独立して駆動される。他の実施例では、ソーラースイッチが、音発生手段をオンにするために使用されていてもよい。この実施例では、光が消えたときに、音発生手段をオンにする前もってプログラムされたマイクロチップに信号が送られる。
【図面の簡単な説明】
【００４１】
【図１】グリップの実施例の側面図である。
【図２】図１のグリップの斜視図である。
【図３】図２のグリップのＡ−Ａ線に沿った断面図である。
【図４】グリップの他の実施例の側面図である。
【図５】図４のグリップの斜視図である。
【図６】図４のグリップのＡ−Ａ線に沿った断面図である。
【図７Ａ】図１のグリップを製造するための方法あるいは工程を示す図である。
【図７Ｂ】図１のグリップを製造するための方法あるいは工程を示す図である。
【図７Ｃ】図１のグリップを製造するための方法あるいは工程を示す図である。
【図８Ａ】図４のグリップを製造するための方法あるいは工程を示す図である。
【図８Ｂ】図４のグリップを製造するための方法あるいは工程を示す図である。
【図８Ｃ】図４のグリップを製造するための方法あるいは工程を示す図である。
【図８Ｄ】図４のグリップを製造するための方法あるいは工程を示す図である。
【図８Ｅ】図４のグリップを製造するための方法あるいは工程を示す図である。
【図９】図１のグリップで包む方法を示す図である。
【図１０】図４のグリップで包む方法を示す図である。
【図１１】本発明に記載された調整目標を使用して、本発明のグリップを包む方法を示す図である。
【図１２】図１あるいは図４のグリップで螺旋状に包む方法を示す図である。
【図１３】グリップ内に取り入れられる発光手段を有する本発明のグリップを示す図である。
【図１４】グリップ内に取り入れられる模様付き表面を有する本発明のグリップを示す図である。
【図１５】グリップ内に取り入れられる音発生手段を有する本発明のグリップを示す図である。
【符号の説明】
【００４２】
１００  グリップ
１０４  表皮層
１０８  永久接着剤
１１２  四方向伸張可能層
１１６  剥離可能接着剤
２００  グリップ
２０４  表皮層
２０８  永久接着剤
２１２  バック層
２１６  永久接着剤
２２０  四方向伸張可能層
２２４  剥離可能接着剤
【図１】
2005530940.tif 000003
【図２】
2005530940.tif 000004
【図３】
2005530940.tif 000005
【図４】
2005530940.tif 000006
【図５】
2005530940.tif 000007
【図６】
2005530940.tif 000008
2005530940.tif 000009
2005530940.tif 000010
【図９】
2005530940.tif 000011
【図１０】
2005530940.tif 000012
【図１１】
2005530940.tif 000013
【図１２】
2005530940.tif 000014
【図１３】
2005530940.tif 000015
【図１４】
2005530940.tif 000016
【図１５】
2005530940.tif 000017
【手続補正書】
【提出日】平成15年12月12日(2003.12.12)
【手続補正１】
【補正対象書類名】特許請求の範囲
【補正対象項目名】全文
【補正方法】変更
【補正の内容】
【特許請求の範囲】
【請求項１】
外面を有する手摺あるいは柱のためのグリップであって：
第１の面と前記第１の面の反対側の第２の面とを有する本体と；
前記本体の前記第１の面に一体化された発光手段と；
上面と前記上面の反対側の底面とを有し、前記上面が前記本体の前記第２の面に接着された伸張可能材料と；
前記伸張可能材料の前記底面に配置され、前記伸張可能材料の前記底面を前記外面に接着する剥離可能接着剤と；
を含むことを特徴とするグリップ。
【請求項２】
請求項１に記載のグリップにおいて、
前記本体が前記第１の面と前記第２の面との間の距離を有し、前記距離が変化可能とされていることを特徴とするグリップ。
【請求項３】
請求項１に記載のグリップにおいて、
前記本体が、レザー、プラスチックシート、プラスチックロールストック、気泡材料、ポリウレタン、織物、ウレタン、ゴム、及びホイルからなる群から選択される材料を含むことを特徴とするグリップ。
【請求項４】
請求項１に記載のグリップにおいて、
前記伸張可能材料がポリエステルであることを特徴とするグリップ。
【請求項５】
請求項１に記載のグリップにおいて、
前記発光手段が発光材料であることを特徴とするグリップ。
【請求項６】
請求項１に記載のグリップにおいて、
前記発光手段が、蛍光化学薬品、低グレード光放射材料、電気的に刺激される蛍光材料、及び発光顔料からなる群から選択される材料であることを特徴とするグリップ。
【請求項７】
請求項１に記載のグリップにおいて、
前記発光手段が光ファイバー及び柔軟な発光ダイオードからなる群から選択されることを特徴とするグリップ。
【請求項８】
請求項１に記載のグリップにおいて、
前記発光手段が低レベル電流によって設けられることを特徴とするグリップ。
【請求項９】
請求項１に記載のグリップにおいて、
前記発光手段が発光フィラメントであることを特徴とするグリップ。
【請求項１０】
請求項１に記載のグリップにおいて、
前記本体と前記伸張可能材料との間に接着されたバック層をさらに含むことを特徴とするグリップ。
【請求項１１】
請求項１に記載のグリップにおいて、
前記グリップが前記外面を実質的に覆うことを特徴とするグリップ。
【請求項１２】
外面を有する手摺あるいは柱のためのグリップであって：
第１の面と前記第１の面の反対側の第２の面とを有する本体と；
前記本体の前記第１の面に一体化された模様付き材料と；
上面と前記上面の反対側の底面とを有し、前記上面が前記本体の前記第２の面に接着された伸張可能材料と；
前記伸張可能材料の前記底面に配置され、前記伸張可能材料の前記底面を前記外面に接着する剥離可能接着剤と；
を含むことを特徴とするグリップ。
【請求項１３】
請求項１２に記載のグリップにおいて、
前記本体が前記第１の面と前記第２の面との間の距離を有し、前記距離が変化可能とされていることを特徴とするグリップ。
【請求項１４】
請求項１２に記載のグリップにおいて、
前記本体が、レザー、プラスチックシート、プラスチックロールストック、気泡材料、ポリウレタン、織物、ウレタン、ゴム、及びホイルからなる群から選択される材料を含むことを特徴とするグリップ。
【請求項１５】
請求項１２に記載のグリップにおいて、
前記伸張可能材料がポリエステルであることを特徴とするグリップ。
【請求項１６】
請求項１２に記載のグリップにおいて、
前記模様付き材料が、硬質ゴム、軟質ゴム、プラスチック、及び布材料からなる群から選択される材料であることを特徴とするグリップ。
【請求項１７】
請求項１２に記載のグリップにおいて、
前記模様付き材料が断熱体として作用するように構成されていることを特徴とするグリップ。
【請求項１８】
請求項１２に記載のグリップにおいて、
前記模様付き材料が燃焼遅延剤を含むことを特徴とするグリップ。
【請求項１９】
請求項１２に記載のグリップにおいて、
前記模様付き材料が点字言語シンボルに形成されていることを特徴とするグリップ。
【請求項２０】
請求項１２に記載のグリップにおいて、
前記本体と前記伸張可能材料との間に接着されたバック層をさらに含むことを特徴とするグリップ。
【請求項２１】
請求項１２に記載のグリップにおいて、
前記グリップが前記外面を実質的に覆うことを特徴とするグリップ。
【請求項２２】
外面を有する手摺あるいは柱のためのグリップであって：
第１の面と前記第１の面の反対側の第２の面とを有する本体と；
前記本体の前記第１の面に一体化された音発生手段と；
上面と前記上面の反対側の底面とを有し、前記上面が前記本体の前記第２の面に接着された伸張可能材料と；
前記伸張可能材料の前記底面に配置され、前記伸張可能材料の前記底面を前記外面に接着する剥離可能接着剤と；
を含むことを特徴とするグリップ。
【請求項２３】
請求項２２に記載のグリップにおいて、
前記本体が前記第１の面と前記第２の面との間の距離を有し、前記距離が変化可能とされていることを特徴とするグリップ。
【請求項２４】
請求項２２に記載のグリップにおいて、
前記本体が、レザー、プラスチックシート、プラスチックロールストック、気泡材料、ポリウレタン、織物、ウレタン、ゴム、及びホイルからなる群から選択される材料を含むことを特徴とするグリップ。
【請求項２５】
請求項２２に記載のグリップにおいて、
前記伸張可能材料がポリエステルであることを特徴とするグリップ。
【請求項２６】
請求項２２に記載のグリップにおいて、
前記音発生手段が感圧式であることを特徴とするグリップ。
【請求項２７】
請求項２２に記載のグリップにおいて、
前記音発生手段が光のない場合に作動することを特徴とするグリップ。
【請求項２８】
請求項２２に記載のグリップにおいて、
前記音発生手段が、バッテリー、ソーラースイッチ及び前もってプログラムされたマイクロチップからなる群から選択される装置によって独立して駆動されることを特徴とするグリップ。
【請求項２９】
請求項２２に記載のグリップにおいて、
前記本体と前記伸張可能材料との間に接着されたバック層をさらに含むことを特徴とするグリップ。
【請求項３０】
請求項２２に記載のグリップにおいて、
前記グリップが前記外面を実質的に覆うことを特徴とするグリップ。
【手続補正２】
【補正対象書類名】明細書
【補正対象項目名】０００９
【補正方法】変更
【補正の内容】
【０００９】
表皮層は、安全で安定したつかみ面を提供する任意の材料から形成されていてもよい。可能な表皮材料のうちのいくつかの例は、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、及びホイル材料を含んでいる。ビニル材料が使用されるならば、該ビニルは支持されていてもよいし、支持されていなくてもよい。同様に、四方向伸張可能材料は、ポリエステル材料などの四方向に同時に伸張することができる任意の材料を含んでいてもよい。
【手続補正３】
【補正対象書類名】明細書
【補正対象項目名】００２３
【補正方法】変更
【補正の内容】
【００２３】
四方向伸張可能層１１２は、上面１１０及び底面１１４を有しており、四方向伸張可能層１１２の上面１１０が表皮層１０４の底面１０６に適合するとともに永久に付着されている。四方向伸張可能層１１２は、ポリエステル材料などの四方向に同時に伸張することができる任意の材料からなっていてもよい。四方向伸張可能層１１２の底面１１４は、剥離可能接着剤１１６の層によって、手摺あるいはハンドサポートシステムに剥離可能に取り付けられる。剥離可能接着剤１１６は、四方向伸張可能層１１２を縁部から縁部まで完全に覆って、該四方向伸張可能層１１２に付着され、手摺あるいはハンドサポートシステムに対する剥離可能な接着力を提供する。剥離可能接着剤１１６は、手摺あるいはハンドサポートシステムへの安定した接着力を提供するが、該剥離可能接着剤１１６は、グリップ１００を手摺あるいはハンドサポートシステムから剥がすことによって最小限の労力で取り外されるようにしてもよい。容易に取り外されるとともに手摺に固定される特徴を有する任意の接着剤が利用されることができ、剥離可能接着剤の好ましい例は、Ｆｌｅｘｉｃｏｎ（登録商標）Ｖ−５８である。
【手続補正４】
【補正対象書類名】明細書
【補正対象項目名】００２７
【補正方法】変更
【補正の内容】
【００２７】
バック層２１２は、上面２１０及び底面２１４を有しており、バック層２１２の上面２１０が表皮層２０４の底面２０６に適合するとともに付着されている。バック層２１２は、連続気泡、独立気泡、フェルト、紙あるいはゴムを含む支持を提供するのに適した任意の材料からなっていてもよい。バック層２１２の底面２１４は、四方向伸張可能材料２２０の上面２１８に永久に接着されている。四方向伸張可能材料２２０の上面２１８にバック層２１２の底面２１４を取り付ける永久接着剤は、例えばＦｌｅｘｉｃｏｎ（登録商標）Ｖ−４０２などの表面を永久に接着する周知の任意の永久接着剤とされることができる。四方向伸張可能材料２２０は、全方向に同時に伸張する能力を有している。四方向伸張可能材料の例は、ポリエステル材料である。四方向伸張可能層２２０の底面２２２は、剥離可能接着剤２２４によって手摺あるいはハンドサポートシステムに剥離可能に取り付けられる。剥離可能接着剤２２４は、四方向伸張可能材料に付着されて、該四方向伸張可能材料２２０を縁部から縁部まで完全に覆い、手摺あるいはハンドサポートシステムへの剥離可能な接着力を提供する。剥離可能接着剤２２４は、手摺あるいはハンドサポートシステムへの安定した接着力を提供するが、該剥離可能接着剤２２４は、グリップ２００を手摺あるいはハンドサポートシステムから剥がすことによって最小限の労力で取り外されるようにしてもよい。容易に取り外されるとともに手摺に固定される特徴を有する任意の接着剤が利用されることができ、剥離可能接着剤の好ましい例は、Ｆｌｅｘｉｃｏｎ（登録商標）Ｖ−５８である。
【手続補正５】
【補正対象書類名】明細書
【補正対象項目名】００２９
【補正方法】変更
【補正の内容】
【００２９】
図７Ａ〜７Ｃは、グリップ１００を製造するための方法あるいは工程を示している。便宜上、グリップ１００の構成部材は、グリップ１００を示す図１のように番号が付けられている。グリップ１００を製造するための方法あるいは工程は、表皮層１０４を設けるとともに永久接着剤１０８を表皮層１０４に塗布する行為７Ａで始まっている。表皮層１０４は、様々な材料から形成されることができる。そのような材料の例は、柔軟で模様が付いた感じを与える気泡の層を有するビニルである発泡ビニル、レザー、プラスチックシート、プラスチックロールストック、任意の種類の気泡製品、ポリウレタン、ウレタン、織物、ゴム材料、ホイル材料、あるいはハンドサポートシステムの覆いとして作用することができる任意の他の材料を含んでいる。表皮層１０４が発泡ビニルから形成されるならば、該ビニル面は、滑らかであってもよいし、粗くてもよい。加えて、ビニル材料が使用されるならば、該ビニルは支持されていてもよいし、支持されていなくてもよい。次に、図７Ｂに示されるように、四方向伸張可能材料層１１２が表皮層１０４に永久に接着される。上述したように、四方向伸張可能層１１２は、ポリエステル材料などの四方向に同時に伸張することができる任意の材料からなっていてもよい。それから、剥離可能接着剤１１６が、四方向伸張可能材料層１１２に縁部から縁部まで塗布される。
【手続補正６】
【補正対象書類名】明細書
【補正対象項目名】００３７
【補正方法】変更
【補正の内容】
【００３７】
図１３は、グリップ内に発光手段が取り入れられた本発明のグリップを示している。上述のように、発光材料が、グリップ１００及び２００の表面に位置しうる任意のグラフィック材料の機能を高めるために使用されていてもよい。この効果を生じさせるために使用されうる他の材料は、蛍光化学薬品、低グレード光放射材料、電気的に刺激される蛍光材料、光ファイバー、及び発光顔料を含んでいる。これらの化学薬品は、グラフィック７００を生じさせるために使用されるインク内に含まれていたり、グリップ面に貼り合わせられたり、付着されたりしていてもよい。加えて、低レベル電流が、例えば発光フィラメント７０２によって光を発するためにグリップ面に通電されていてもよい。バッテリーなどの独立した電力源が、電流源を設けるために使用されていてもよい。光がないか光が少ない状況において電流をオンにするためのソーラースイッチなどの手段が、回路を完成させるために使用される。他の光源が、発光背景材料上にグリップを配置することによって設けられることができる。この場合、柔軟なＬＥＤ材料を使用することができる。ここで挙げられた例は、例示のみであって、限定に使用されるべきではない。
【手続補正７】
【補正対象書類名】明細書
【補正対象項目名】００３８
【補正方法】変更
【補正の内容】
【００３８】
図１４は、模様付き表面を有する本発明のグリップを示している。グリップ８００は、模様付き表面を有している。グリップ８００は、グリップ１００あるいは２００に模様付き表面８０２を加えたものである。模様付き表面８０２は、様々な材料から形成されることができる。例えば、硬質ゴム、軟質クレヨンゴム、任意の種類のプラスチック、布材料、及びこの目的に適した周知の他の任意の材料である。加えて、視力の低下した人のための点字シンボルなどのパターンまたは安全指示が、グリップの表面に型成形されることができる。図１６は、グリップ８０４に設けられた点字シンボル８０６の使用を示している。
【手続補正８】
【補正対象書類名】明細書
【補正対象項目名】００３９
【補正方法】変更
【補正の内容】
【００３９】
模様付きグリップのさらなる特性は、断熱効果である。模様付き表面８０２の厚みは、自然な断熱体として作用する。この特性は、非常に暑いか寒い気象状況においても手摺を使用可能にする。加えて、臭素基遅延剤、リン酸塩基遅延剤あるいはテトラブロモビスフェノールＡ（ＴＢＢＰＡ）エポキシなどの燃焼遅延剤が、模様付き表面に添加されることができ、グリップ８００を耐燃焼性にして人間の使用をより安全にする。
【手続補正９】
【補正対象書類名】明細書
【補正対象項目名】００４０
【補正方法】変更
【補正の内容】
【００４０】
図１５は、グリップ内に取り入れられる音発生手段９０２を有する本発明のグリップ９００を示している。音技術の当業者にとって周知のように、前もってプログラムされたマイクロチップに信号を送る感圧式スイッチを使用することにより。音発生手段９０２を作動させることができる。一旦、音発生手段が作動すると、音を発生するスピーカーが作動する。１つの実施例では、各音ユニットは、バッテリーパックによって独立して駆動される。他の実施例では、ソーラースイッチが、音発生手段をオンにするために使用されていてもよい。この実施例では、光が消えたときに、音発生手段をオンにする前もってプログラムされたマイクロチップに信号が送られる。
【手続補正１０】
【補正対象書類名】明細書
【補正対象項目名】００４１
【補正方法】変更
【補正の内容】
【００４１】
【図１】グリップの実施例の側面図である。
【図２】図１のグリップの斜視図である。
【図３】図２のグリップのＡ−Ａ線に沿った断面図である。
【図４】グリップの他の実施例の側面図である。
【図５】図４のグリップの斜視図である。
【図６】図４のグリップのＡ−Ａ線に沿った断面図である。
【図７Ａ】図１のグリップを製造するための方法あるいは工程を示す図である。
【図７Ｂ】図１のグリップを製造するための方法あるいは工程を示す図である。
【図７Ｃ】図１のグリップを製造するための方法あるいは工程を示す図である。
【図８Ａ】図４のグリップを製造するための方法あるいは工程を示す図である。
【図８Ｂ】図４のグリップを製造するための方法あるいは工程を示す図である。
【図８Ｃ】図４のグリップを製造するための方法あるいは工程を示す図である。
【図８Ｄ】図４のグリップを製造するための方法あるいは工程を示す図である。
【図８Ｅ】図４のグリップを製造するための方法あるいは工程を示す図である。
【図９】図１のグリップで包む方法を示す図である。
【図１０】図４のグリップで包む方法を示す図である。
【図１１】本発明に記載された調整目標を使用して、本発明のグリップを包む方法を示す図である。
【図１２】図１あるいは図４のグリップで螺旋状に包む方法を示す図である。
【図１３】グリップ内に取り入れられる発光手段を有する本発明のグリップを示す図である。
【図１４】グリップ内に取り入れられる模様付き表面を有する本発明のグリップを示す図である。
【図１５】グリップ内に取り入れられる音発生手段を有する本発明のグリップを示す図である。
【図１６】グリップ内に取り入れられる点字言語シンボルを有する本発明のグリップを示す図である。
【手続補正１１】
【補正対象書類名】図面
【補正対象項目名】図１
【補正方法】変更
【補正の内容】
【図１】
2005530940.tif 000018
【手続補正１２】
【補正対象書類名】図面
【補正対象項目名】図２
【補正方法】変更
【補正の内容】
【図２】
2005530940.tif 000019
【手続補正１３】
【補正対象書類名】図面
【補正対象項目名】図４
【補正方法】変更
【補正の内容】
【図４】
2005530940.tif 000020
【手続補正１４】
【補正対象書類名】図面
【補正対象項目名】図５
【補正方法】変更
【補正の内容】
【図５】
2005530940.tif 000021
【手続補正１５】
【補正対象書類名】図面
【補正対象項目名】図１５
【補正方法】変更
【補正の内容】
【図１５】
2005530940.tif 000022
【手続補正１６】
【補正対象書類名】図面
【補正対象項目名】図１６
【補正方法】追加
【補正の内容】
【図１６】
2005530940.tif 000023
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
外面を有する手摺あるいは柱のためのグリップであって：
第１の面と前記第１の面の反対側の第２の面とを有する本体と；
前記本体の前記第１の面に一体化された発光手段と；
上面と前記上面の反対側の底面とを有し、前記上面が前記本体の前記第２の面に接着された伸張可能材料と；
前記伸張可能材料の前記底面に配置され、前記伸張可能材料の前記底面を前記外面に接着する剥離可能接着剤と；
を含むことを特徴とするグリップ。
【請求項２】
外面を有する手摺あるいは柱のためのグリップであって：
第１の面と前記第１の面の反対側の第２の面とを有する本体と；
前記本体の前記第１の面に一体化された模様付き材料と；
上面と前記上面の反対側の底面とを有し、前記上面が前記本体の前記第２の面に接着された伸張可能材料と；
前記伸張可能材料の前記底面に配置され、前記伸張可能材料の前記底面を前記外面に接着する剥離可能接着剤と；
を含むことを特徴とするグリップ。
【請求項３】
外面を有する手摺あるいは柱のためのグリップであって：
第１の面と前記第１の面の反対側の第２の面とを有する本体と；
前記本体の前記第１の面に一体化された音発生手段と；
上面と前記上面の反対側の底面とを有し、前記上面が前記本体の前記第２の面に接着された伸張可能材料と；
前記伸張可能材料の前記底面に配置され、前記伸張可能材料の前記底面を前記外面に接着する剥離可能接着剤と；
を含むことを特徴とするグリップ。
【手続補正２】
【補正対象書類名】明細書
【補正対象項目名】００３７
【補正方法】変更
【補正の内容】
【００３７】
図１３（ａ）及び図１３（ｂ）は、グリップ内に発光手段が取り入れられた本発明のグリップを示している。上述のように、発光材料が、グリップ１００及び２００の表面に位置しうる任意のグラフィック材料の機能を高めるために使用されていてもよい。この効果を生じさせるために使用されうる他の材料は、蛍光化学薬品、低グレード光放射材料、電気的に刺激される蛍光材料、光ファイバー、及び発光顔料を含んでいる。これらの化学薬品は、グラフィック７００を生じさせるために使用されるインク内に含まれていたり、グリップ面に貼り合わせられたり、付着されたりしていてもよい。加えて、低レベル電流が、例えば発光フィラメント７０２によって光を発するためにグリップ面に通電されていてもよい。バッテリーなどの独立した電力源が、電流源を設けるために使用されていてもよい。光がないか光が少ない状況において電流をオンにするためのソーラースイッチなどの手段が、回路を完成させるために使用される。他の光源が、発光背景材料上にグリップを配置することによって設けられることができる。この場合、柔軟なＬＥＤ材料を使用することができる。ここで挙げられた例は、例示のみであって、限定に使用されるべきではない。
【手続補正３】
【補正対象書類名】図面
【補正対象項目名】図１
【補正方法】変更
【補正の内容】
【図１】
2005530940.tif 000024
【手続補正４】
【補正対象書類名】図面
【補正対象項目名】図２
【補正方法】変更
【補正の内容】
【図２】
2005530940.tif 000025
【手続補正５】
【補正対象書類名】図面
【補正対象項目名】図３
【補正方法】変更
【補正の内容】
【図３】
2005530940.tif 000026
【手続補正６】
【補正対象書類名】図面
【補正対象項目名】図４
【補正方法】変更
【補正の内容】
【図４】
2005530940.tif 000027
【手続補正７】
【補正対象書類名】図面
【補正対象項目名】図５
【補正方法】変更
【補正の内容】
【図５】
2005530940.tif 000028
【手続補正８】
【補正対象書類名】図面
【補正対象項目名】図６
【補正方法】変更
【補正の内容】
【図６】
2005530940.tif 000029
【手続補正９】
【補正対象書類名】図面
【補正対象項目名】図７
【補正方法】変更
【補正の内容】
【図７】
2005530940.tif 000030
【手続補正１０】
【補正対象書類名】図面
【補正対象項目名】図８
【補正方法】変更
【補正の内容】
【図８】
2005530940.tif 000031
【手続補正１１】
【補正対象書類名】図面
【補正対象項目名】図９
【補正方法】変更
【補正の内容】
【図９】
2005530940.tif 000032
【手続補正１２】
【補正対象書類名】図面
【補正対象項目名】図１０
【補正方法】変更
【補正の内容】
【図１０】
2005530940.tif 000033
【手続補正１３】
【補正対象書類名】図面
【補正対象項目名】図１１
【補正方法】変更
【補正の内容】
【図１１】
2005530940.tif 000034
【手続補正１４】
【補正対象書類名】図面
【補正対象項目名】図１２
【補正方法】変更
【補正の内容】
【図１２】
2005530940.tif 000035
【手続補正１５】
【補正対象書類名】図面
【補正対象項目名】図１３
【補正方法】変更
【補正の内容】
【図１３】
2005530940.tif 000036
【手続補正１６】
【補正対象書類名】図面
【補正対象項目名】図１４
【補正方法】変更
【補正の内容】
【図１４】
2005530940.tif 000037
【手続補正１７】
【補正対象書類名】図面
【補正対象項目名】図１５
【補正方法】変更
【補正の内容】
【図１５】
2005530940.tif 000038
【手続補正１８】
【補正対象書類名】図面
【補正対象項目名】図１６
【補正方法】変更
【補正の内容】
【図１６】
2005530940.tif 000039
【国際調査報告】
2005530940.tif 000040
2005530940.tif 000041